(57)【要約】      （修正有）【課題】チェーンや巻き上げ機構などの昇降装置を用いることなく、簡易的に昇降することができるカフェカーテンを提供する。【解決手段】カフェカーテン１は、カーテン生地２と、帯状体３の一方の端４にはバックル６が取り付けられると共に、帯状体３の他方の端５をバックル６に挿入して帯状体３の長さを調整することができる帯状体の長さ調整器具７と、を備え、帯状体の長さ調整器具７は、カーテン生地２の幅方向Ｗの少なくとも１箇所以上に配置され、かつ、カーテン生地２の表面側１１から見て、上から帯状体３の一方の端４、バックル６、帯状体３の他方の端５、の順番になるように、カーテン生地２の表面側１１及び裏面側の外周を囲むように配置されている。【選択図】図１
0003223016.tif 000002
【実用新案登録請求の範囲】
【請求項１】
カーテン生地と、
帯状体の一方の端にはバックルが取り付けられると共に、前記帯状体の他方の端を前記バックルに挿入して前記帯状体の長さを調整することができる帯状体の長さ調整器具と、を備え、
前記カーテン生地の上端部には、該カーテン生地を支えるためのポールを挿入する袋部を有し、
前記帯状体の長さ調整器具は、前記カーテン生地の幅方向の少なくとも１箇所以上に配置され、
かつ、
前記カーテン生地の表面側から見て、上から前記帯状体の一方の端、前記バックル、前記帯状体の他方の端、の順番になるように、前記カーテン生地の表面側及び裏面側の外周を囲むように配置され、
前記帯状体の一方の端と前記袋部で少なくとも１箇所は固定されており、
前記帯状体の他方の端を昇降することにより、前記カーテン生地の下端部を上げ下げ可能とすることを特徴とするカフェカーテン。
【請求項２】
前記カーテン生地の裏面側の少なくとも一部には、前記帯状体を通す為の止め紐がある請求項１に記載のカフェカーテン。
【考案の詳細な説明】
【技術分野】
【０００１】  本考案は、チェーンや巻き上げ機構などの昇降装置を用いることなく、カーテン生地を簡易的に昇降することができるカフェカーテンに関する。
【背景技術】
【０００２】  通常、チェーンや巻き上げ機構などの昇降装置により昇降可能なカーテンとして、生地（ファブリック）を仕立てたシェード、幕体を昇降器具に取り付けて上下に開閉を行うローマンシェードや、フラットなスクリーンを上部に巻き上げの機構を内蔵したパイルで巻き取って、上下に開閉させるロールスクリーンなどが挙げられる。【０００３】  チェーンや巻き上げ機構などの昇降装置により、カーテン生地を昇降させることができるカーテンは高価になりがちである。そのため、チェーンや巻き上げ機構などの昇降装置を用いることなく、簡易的に昇降することができるカーテンが求められている。【０００４】  特許文献１においては、カーテン地と、このカーテン地の裏面において、所定の間隔をおいて横一列に配置され、ぞれぞれの上端がカーテン地に直接または間接に係合された複数の紐状部材と、上記カーテン地の裏面における上記紐状部材の係合箇所よりも下方に形成され、各紐状部材の下端が挿通される複数の環状部と、上記紐状部材の下端に着脱自在に装着されるストッパ−とを備え、各ストッパ−を紐状部材に沿って上方向に摺動させることにより、上記環状部が上方向に移動してカーテン地の一部が折り込まれ、任意の位置でストッパ−を紐状部材に係止することにより、カーテン地の丈寸法が固定されることを特徴とするカーテンが開示されている。【０００５】
【特許文献１】特開２００８−１０００３１号公報
【考案の開示】
【考案が解決しようとする課題】
【０００６】  特許文献１のカーテンでは、一般ユーザが自宅において容易に寸法調整が可能であり、一旦調整した寸法を簡単に再調整できる。しかしながら、ストッパ−が横一列に配置されているため、一つ一つのストッパ−を調整しなくてはならない。したがって、チェーンや巻き上げ機構などの昇降装置を用いてカーテン生地を昇降させるより、装置的には簡易的であるが、手間がかかる恐れがある。【０００７】  本考案は、かかる技術的背景を鑑みてなされたものであって、チェーンや巻き上げ機構などの昇降装置を用いることなく、簡易的に昇降することができるカフェカーテンを提供することが目的である。
【課題を解決するための手段】
【０００８】  前記目的を達成するために、本考案は以下の手段を提供する。【０００９】［１］カーテン生地と、
帯状体の一方の端にはバックルが取り付けられると共に、前記帯状体の他方の端を前記バックルに挿入して前記帯状体の長さを調整することができる帯状体の長さ調整器具と、を備え、
前記カーテン生地の上端部には、該カーテン生地を支えるためのポールを挿入する袋部を有し、
前記帯状体の長さ調整器具は、前記カーテン生地の幅方向の少なくとも１箇所以上に配置され、
かつ、
前記カーテン生地の表面側から見て、上から前記帯状体の一方の端、前記バックル、前記帯状体の他方の端、の順番になるように、前記カーテン生地の表面側及び裏面側の外周を囲むように配置され、
前記帯状体の一方の端と前記袋部で少なくとも１箇所は固定されており、
前記帯状体の他方の端を昇降することにより、前記カーテン生地の下端部を上げ下げ可能とすることを特徴とするカフェカーテン。【００１０】［２］前記カーテン生地の裏面側の少なくとも一部には、前記帯状体を通す為の止め紐がある前項１に記載のカフェカーテン。
【考案の効果】
【００１１】  ［１］の考案では、カーテン生地と、帯状体の一方の端にはバックルが取り付けられると共に、帯状体の他方の端をバックルに挿入して帯状体の長さを調整することができる帯状体の長さ調整器具と、を備え、カーテン生地の上端部には、カーテン生地を支えるためのポールを挿入する袋部を有し、帯状体の長さ調整器具は、カーテン生地の幅方向の少なくとも１箇所以上に配置され、かつ、カーテン生地の表面側から見て、上から帯状体の一方の端、バックル、帯状体の他方の端、の順番になるように、カーテン生地の表面側及び裏面側の外周を囲むように配置され、帯状体の一方の端と袋部で少なくとも１箇所は固定されているから、大掛かりな昇降装置を用いることなく、簡易的に昇降することができ、帯状体の他方の端を昇降することにより、カーテン生地の下端部を上げ下げ可能とする。また、帯状体は、昇降操作だけでなく、交換することも可能で、カーテン生地のアクセントとして意匠性を向上させることができる。【００１２】  ［２］の考案では、カーテン生地の裏面側の少なくとも一部には、前記帯状体を通す為の止め紐があるから、帯状体が左右ズレを起こすことなく、カーテン生地の下端部を上げ下げすることができる。
【図面の簡単な説明】
【００１３】
【図１】本考案に係る帯状体の長さ調整器具をカーテン生地の幅方向の１箇所のみ配置したカフェカーテンの一実施形態を示す正面図である。
【図２】本考案に係る帯状体の長さ調整器具をカーテン生地の幅方向の２箇所配置したカフェカーテンの他の実施形態を示す正面図である。
【図３】本考案に係る帯状体の長さ調整器具をカーテン生地の幅方向の１箇所のみ配置したカフェカーテンの一実施形態を示す断面図である。
【図４】本考案に係る帯状体の一方の端にはバックルが取り付けられ、帯状体の他方の端がバックルに挿入されていない帯状体の長さ調整器具を示す平面図である。
【考案を実施するための最良の形態】
【００１４】  本考案に係るカフェカーテンの一実施形態を説明する。図１に示すように、本考案のカフェカーテン１は、カーテン生地２と、帯状体３の一方の端４にはバックル６が取り付けられると共に、前記帯状体３の他方の端５を前記バックル６に挿入して前記帯状体３の長さを調整することができる帯状体の長さ調整器具７と、を備え、前記カーテン生地２の上端部８には、該カーテン生地２を支えるためのポールを挿入する袋部１０を有し、前記帯状体の長さ調整器具７は、前記カーテン生地２の幅方向Ｗの少なくとも１箇所以上に配置され、かつ、前記カーテン生地２の表面側１１から見て、上から前記帯状体３の一方の端４、前記バックル６、前記帯状体３の他方の端５、の順番になるように、前記カーテン生地２の表面側１１（屋内側）及び裏面側１２（屋外側）の外周を囲むように配置され、前記帯状体３の一方の端４と前記袋部１０で少なくとも１箇所は固定されており、前記帯状体３の他方の端５を昇降することにより、前記カーテン生地２の下端部９を上げ下げ可能とすることを特徴とする。なお、図１は、帯状体の長さ調整器具７が、前記カーテン生地２の幅方向Ｗの少なくとも１箇所配置されている状態を示している。【００１５】  前記カフェカーテン１は、カーテン生地２と、帯状体３と、バックル６と、からなる。【００１６】  前記カーテン生地２は、特に限定されるものではないが、例えば、厚手のカーテン、薄手のカーテン等が挙げられる。中でも、薄手のカーテンが好ましく、特に、シアーカーテンであることがより好ましい。【００１７】  前記カーテン生地２の上端部８には、該カーテン生地２を支えるためのポールを挿入する袋部１０を有していることが必要である。袋部１０を有していることで、袋部１０に伸縮自在で取り付け簡単なポールを挿入し、カーテンレールがなくてもカーテン１を吊るすことができる。【００１８】  前記帯状体３は、特に限定されるものではないが、例えば、サテンテープ、サテンリボン等が挙げられる。帯状体３を用いることでカーテン１の意匠の一部として表現することもできる。本考案の明細書に記載されている帯状体３には、バックル６に挿入して、簡易的に昇降できる紐状体も含まれている。なお、帯状体３の一方の端４及び帯状体３の他方の端５共に、折り返し部分を設けることが好ましい。折り返し部分を設けることで、帯状体３の解れがなくなり、昇降操作性を向上させることができる。【００１９】  図４に示すように、前記帯状体３は、帯状体３の一方の端４にはバックル６が取り付けられており、前記帯状体３の他方の端５には何も取り付けられていないことが好ましい。帯状体３の一方の端４には、取り外しができないバックル６が取り付けられていても良いし、取り外し可能なバックル６が取り付けられていても良い。中でも、取り外し可能なバックル６が付けられていることがより好ましい。取り外し可能なバックル６が取り付けられている場合、カーテン生地２及び帯状体３を洗濯する時に、帯状体３の一方の端４からバックル６を取り外して、カーテン生地２及び帯状体３を洗濯機で洗うことができる。なお、図１では、帯状体３の一方の端４にバックル６を取り付ける際、帯状体３の右側から左側にバックル６を差し込み、取り外し可能な状態を示している。また、図４の帯状体３の長さは図１と比べると同じくらいであるが、実際はカーテン生地２の表面側１１及び裏面側１２の外周を囲むことができる長さが必要である。【００２０】  図３に示すように、前記帯状体の長さ調整器具７は、帯状体３の一方の端４にはバックル６が取り付けられており、バックル６に帯状体３の他方の端５を挿入して帯状体３の長さを調整することができる状態を意味する。帯状体３の他方の端５をひっぱったり、戻したり調節することで、帯状体３の長さを調整することができる。なお、図３の場合、帯状体３は、カーテン生地２の表面側のバックル６の下側から上側に挿入して、バックル６の下面側に垂れている。帯状体３の他方の端５が、帯状体の一方の端４より、カーテン生地２の表面側に出ていることになる。カーテン生地２の下端部９を上に引き上げたい場合は、帯状体３の他方の端５を下に引き、逆に、カーテン生地２の下端部９を下に引き下げたい場合は、帯状体３の他方の端５よりカーテン生地２の表面側にある帯状体３を下に引くことで、上げ下げ可能となる。【００２１】  前記帯状体の長さ調整器具７は、図１に示すように、前記カーテン生地２の幅方向Ｗの少なくとも１箇所以上に配置されている必要がある。カーテン生地２の幅が狭い場合には、図１に示すように、前記カーテン生地２の幅方向Ｗの少なくとも１箇所に配置する。カーテン生地２の幅が広い場合には、図２に示すように、前記カーテン生地２の幅方向Ｗに２箇所配置することが好ましい。【００２２】  前記帯状体の長さ調整器具７は、前記カーテン生地２の表面側１１から見て、上から前記帯状体３の一方の端４、前記バックル６、前記帯状体３の他方の端５、の順番になるように、前記カーテン生地２の表面側１１及び裏面側１２の外周を囲むように配置されている必要がある。帯状体３がカーテン生地２の表面側１１及び裏面側１２の外周を囲むように配置されているので、帯状体３の他方の端５を昇降することにより、前記カーテン生地２の下端部９を上げ下げすることができる。【００２３】  バックル６とは、帯状体３を挿入して、帯状体３の長さを調整できるものであれば、特に限定されるものではないが、例えば、テープアジャスター、アジャスター、ワンタッチバックル、親子カン、尾錠等が挙げられる。【００２４】  バックル６はカーテン生地２の表面側１１に配置されている必要がある。バックル６がカーテン生地２の表面側１１に配置されているから、カーテン生地２の表面側１１（屋内側）で帯状体３の昇降作業を行うことができる。【００２５】  前記カーテン生地２の表面側１１から見て、上から前記帯状体３の一方の端４、前記バックル６の順番に配置するから、帯状体３の他方の端５がカーテン生地２の一番下側に配置される。したがって、帯状体３の他方の端５をひっぱったり、上に戻したり調節することで、帯状体３の長さを調整することができると共に、前記カーテン生地２の下端部９を上げ下げ可能とすることができる。【００２６】  前記帯状体の長さ調整器具７は、前記カーテン生地２の表面側１１及び裏面側１２の外周を囲むように配置されている必要がある。帯状体３が前記カーテン生地２の表面側１１及び裏���側１２を囲むように配置されているから、帯状体３の他方の端５をひっぱったり、上に戻したり調節することで、前記カーテン生地２を上げ下げすることができる。【００２７】  前記帯状体３の一方の端４と前記袋部１０で少なくとも１箇所は固定されている必要がある。帯状体３とカーテン生地２とが固定されていないと、帯状体３の他方の端５を昇降しても、帯状体の長さ調整器具７がカーテン生地２の外周をくるくる回転することなり、前記カーテン生地２の下端部９を上げ下げすることができない。前記帯状体３の一方の端４と前記カーテン生地２の袋部１０で少なくとも１箇所は固定されているから、帯状体の長さ調整器具７がカーテン生地２の外周をくるくる回転することなく、帯状体３の他方の端５を昇降させてカーテン生地２の下端部９を上げ下げすることができる。【００２８】  前記帯状体３の一方の端４と前記袋部１０で固定する方法としては、特に限定されるものではないが、袋部１０を構成する位置と同じ位置で縫製糸を用いて固定することが好ましい。【００２９】  カーテン生地２の裏面側１２の少なくとも一部には、前記帯状体３を通す為の止め紐１３があることが好ましい。中でも、カーテン生地２の裏面側１２の下端部９には、前記帯状体３を通す為の止め紐１３があることがより好ましい。止め紐１３があるから、帯状体３を昇降する際に、左右ズレを起こすことなく、カーテン生地２の下端部９を上げ下げすることができる。バックル６の装着位置と止め紐１３を設置する位置はカーテン１の長さ方向に沿って、一直線状の位置になるように設置させることが好ましい。止め紐としては、例えば、スパン両面朱子リボン等が挙げられる。【００３０】  本考案のカフェカーテン１は、開け閉めする窓に用いることも良いが、小窓に用いることが好ましい。
【実施例】
【００３１】  次に、本考案の具体的実施例について説明するが、本考案はこれら実施例のものに特に限定されるものではない。【００３２】＜使用材料＞
（カーテン生地２）レースカーテン（タテ編レース、ポリエステル１００％、１８ゲージ３６コース／１００ｃｍ）
（帯状体３）（リボンテープ、ドレープマットサテン、ポリエステル１００％、幅２０ｍｍ、後染め）
（バックル６）（コードベルトパーツ２０ｍｍ）
【実施例１】
【００３３】  帯状体の一方の端にはバックルを取り付けて、前記帯状体の他方の端を前記バックルに下側から上側に挿入して、帯状体の他方の端がバックルから下側に垂れるように、帯状体の長さ調整器具を作成した。なお、帯状体の長さ調整器具はカーテン生地の表面側及び裏面側の外周を囲むことができるくらいの長さに調節した。次に、作成した帯状体の長さ調整器具がカーテン生地の幅方向の真ん中の位置になるように、かつ、カーテン生地の表面側から見て、上から帯状体の一方の端、バックル、帯状体の他方の端、の順番になるように、カーテン生地の表面側及び裏面側の外周を囲むように配置した。
次に、帯状体の一方の端とカーテン生地の袋部（下部）とをミシン糸を用いて縫製した。次に、帯状体とカーテン生地の袋部（上部）とをミシン糸を用いて縫製し、図１に示すカフェカーテン１を得た。【００３４】  本考案の実施例１のカフェカーテンは、帯状体の他方の端を昇降することにより、カーテン生地の下端部を上げ下げすることができた。
【産業上の利用可能性】
【００３５】  本考案に係るカフェカーテンは、例えば、小窓用のカフェカーテンとして好適に用いることができる。
【符号の説明】
【００３６】  １・・・カフェカーテン
２・・・カーテン生地
３・・・帯状体
４・・・帯状体の一方の端
５・・・帯状体の他方の端
６・・・バックル
７・・・帯状体の長さ調整器具
８・・・カーテン生地の上端部
９・・・カーテン生地の下端部
１０・・・袋部
１１・・・カーテン生地の表面側
１２・・・カーテン生地の裏面側
１３・・・止め紐
Ｗ・・・カーテンの幅方向
Ｌ・・・カーテンの長さ方向
【図１】
0003223016.tif 000003
【図２】
0003223016.tif 000004
【図３】
0003223016.tif 000005
【図４】
0003223016.tif 000006